(57)【要約】【課題】リフレクタの外周面を装飾リングとして兼用することにより、装飾リングを設けること無く、光源部分と収容体との境界を際立たせて体感照度を向上させることができ、照明装置の部品点数及び組み立て工数を削減し、低コスト化を図ることができる照明装置及び送風機器を提供する。【解決手段】発光ダイオード７３と、発光ダイオード７３からの光が出射される光出射孔部３１ａを有し、発光ダイオード７３を収容する操作部収容体３１と、発光ダイオード７３を囲繞する略筒状部分を有し、発光ダイオード７３からの光を反射するリフレクタ７２とを備える照明装置７において、リフレクタ７２の外周面を光出射孔部３１ａから露出させる。また、該照明装置７を送風機器に備える。【選択図】図５
2014053257.tif 000002
【特許請求の範囲】
【請求項１】
光源と、該光源からの光が出射される孔部を有し、前記光源を収容する収容体と、前記光源を囲繞する略筒状部分を有し、前記光源からの光を反射するリフレクタとを備える照明装置において、
前記リフレクタの外周面が前記孔部から露出している
ことを特徴とする照明装置。
【請求項２】
前記リフレクタの一端部が前記孔部から突出している
ことを特徴とする請求項１に記載の照明装置。
【請求項３】
前記リフレクタの一端部と、前記孔部との間に間隙を有する
ことを特徴とする請求項１又は請求項２に記載の照明装置。
【請求項４】
前記リフレクタは前記孔部よりも大寸法の鍔部を有する
ことを特徴とする請求項３に記載の照明装置。
【請求項５】
前記リフレクタは、
他端部が前記孔部よりも大寸法である
ことを特徴とする請求項３に記載の照明装置。
【請求項６】
前記光源は、
回路基板に設けられた発光ダイオードであり、
前記リフレクタは、
前記発光ダイオードを囲繞するように、該リフレクタの他端部が前記回路基板に当接しており、
前記回路基板は、
前記リフレクタに囲繞されている部分の反射率が、他の部分に比べて高い
ことを特徴とする請求項１から請求項５までのいずれか一つに記載の照明装置。
【請求項７】
前記光源及び前記リフレクタを覆う透光性の覆体を備える
ことを特徴とする請求項１から請求項６までのいずれか一つに記載の照明装置。
【請求項８】
前記リフレクタは、
少なくとも内面及び前記孔部から露出する外周面に反射層を有する
ことを特徴とする請求項１から請求項７までのいずれか一つに記載の照明装置。
【請求項９】
請求項１から請求項８までのいずれか一つに記載の照明装置と、
該照明装置の照明方向に空気が吹き出されるように、空気の吸込口、通流路及び吹出口を有する筐体と、
空気を前記通流路に通流させるファンと
を備えることを特徴とする送風機器。
【発明の詳細な説明】
【技術分野】
【０００１】
本発明は、収容体に収容された光源及びリフレクタを備える照明装置、及び該照明装置を備える送風機器に関する。
【背景技術】
【０００２】
照明装置は光源及びリフレクタを備える。リフレクタは、光源の背面側に配され、光源からの光を効率より前方へ出射させるために用いられる。光源及びリフレクタは透光性の覆体で覆われている。光源及びリフレクタを覆体で覆うことによって強度的に弱い光源を保護し、またリフレクタに汚れが付着することを防ぐことができる。また、光源は熱を発するため、覆体で光源を覆うことにより、光源による火傷及び火災を防ぐことができる。
また、一般的に光源及びリフレクタからなる光源部分と、収容体との境界にアクセントを持たせるために、装飾リングが設けられる。つまり、装飾リングは、光源部分と、収容体との境界を際立たせることにより、ユーザの体感照度を向上させるものである。
【先行技術文献】
【特許文献】
【０００３】
【特許文献１】特開２０１１−１８５７９９号公報
【特許文献２】特開２００２−１３３９２０号公報
【発明の概要】
【発明が解決しようとする課題】
【０００４】
しかしながら、装飾リングを設けることによって、照明装置の部品点数及び組み立て工数が増加し、コスト高になるという問題があった。
【０００５】
本発明は斯かる事情に鑑みてなされたものであり、その目的はリフレクタの外周面を装飾リングとして兼用することにより、装飾リングを設けること無く、光源部分と収容体との境界を際立たせて体感照度を向上させることができ、照明装置の部品点数及び組み立て工数を削減し、低コスト化を図ることができる照明装置及び送風機器を提供することにある。
【課題を解決するための手段】
【０００６】
本発明に係る照明装置は、光源と、該光源からの光が出射される孔部を有し、前記光源を収容する収容体と、前記光源を囲繞する略筒状部分を有し、前記光源からの光を反射するリフレクタとを備える照明装置において、前記リフレクタの外周面が前記孔部から露出していることを特徴とする。
【０００７】
本発明によれば、リフレクタの外周面を収容体の孔部から露出させることにより、該リフレクタを装飾リングとして機能させることが可能である。つまり、収容体の孔部から露出しているリフレクタの外周面によって、光源部分と、収容体との境界を際立たせ、ユーザの体感照度を向上させることが可能である。
【０００８】
本発明に係る照明装置は、前記リフレクタの一端部が前記孔部から突出していることを特徴とする。
【０００９】
本発明にあっては、孔部からリフレクタを突出させることにより、リフレクタの外周面を露出させ、該リフレクタを装飾リングとして機能させることが可能である。
【００１０】
本発明に係る照明装置は、前記リフレクタの一端部と、前記孔部との間に間隙を有することを特徴とする。
【００１１】
本発明にあっては、リフレクタの一端部と、孔部との間に間隙を設けることにより、リフレクタの外周面を露出させ、該リフレクタの外周面によって、光源部分と、収容体との境界を際立たせ、ユーザの体感照度を向上させることが可能である。
【００１２】
本発明に係る照明装置は、前記リフレクタは前記孔部よりも大寸法の鍔部を有することを特徴とする。
【００１３】
本発明にあっては、リフレクタは収容体の孔部よりも大寸法の鍔部を有しているため、リフレクタの一端部と、前記孔部との間に間隙があっても、外部からはリフレクタの外周面及び鍔部が視認され、収容体内部の電子部品は視認されない。
【００１４】
本発明に係る照明装置は、前記リフレクタは、他端部が前記孔部よりも大寸法であることを特徴とする。
【００１５】
本発明にあっては、リフレクタの他端部は収容体の孔部よりも大寸法であるため、リフレクタの一端部と、前記孔部との間に間隙があっても、外部からはリフレクタの外周面が視認され、収容体内部の電子部品は視認されない。
【００１６】
本発明に係る照明装置は、前記光源は、回路基板に設けられた発光ダイオードであり、前記リフレクタは、前記発光ダイオードを囲繞するように、該リフレクタの他端部が前記回路基板に当接しており、前記回路基板は、前記リフレクタに囲繞されている部分の反射率が、他の部分に比べて高いことを特徴とする。
【００１７】
本発明にあっては、リフレクタが回路基板に設けられた発光ダイオードを囲繞しており、回路基板は、リフレクタに囲繞されている部分の反射率が、他の部分に比べて光の反射率より高い。つまり、回路基板の表面の内、発光ダイオードが設けられ、リフレクタによって囲繞されている部分が反射面として機能する。従って、光源の背面側にリフレクタのような反射部材を設ける必要が無く、また凹面状のリフレクタの頂点部分にソケットを設け、該ソケットと、回路基板とをコネクタで接続する必要も無い。
【００１８】
本発明に係る照明装置は、前記光源及び前記リフレクタを覆う透光性の覆体を備えることを特徴とする。
【００１９】
本発明にあっては、光源及びリフレクタを透光性の覆体で覆うことにより、光源及びリフレクタを保護することが可能である。
【００２０】
本発明に係る照明装置は、前記リフレクタは、少なくとも内面及び前記孔部から露出する外周面に反射層を有することを特徴とする。
【００２１】
本発明にあっては、反射層を有する外周面が収容体の孔部から露出しているため、該外周面が効果的に装飾リングとして機能する。
【００２２】
本発明に係る送風機器は、上述のいずれか一つの照明装置と、該照明装置の照明方向に空気が吹き出されるように、空気の吸込口、通流路及び吹出口を有する筐体と、空気を前記通流路に通流させるファンとを備えることを特徴とする。
【００２３】
本発明にあっては、空気を送風することが可能である。      
【発明の効果】
【００２４】
本発明にあっては、装飾リングを設けること無く、光源部分と収容体との境界を際立たせて体感照度を向上させることができ、照明装置の部品点数及び組み立て工数を削減し、低コスト化を図ることができる。
【図面の簡単な説明】
【００２５】
【図１】本実施の形態に係る送風機器の一構成例を示した正面側斜視図である。
【図２】本実施の形態に係る送風機器の一構成例を示した背面側斜視図である。
【図３】送風機器の送風ヘッド及び操作部の内部構成を模式的に示した側断面図である。
【図４】照明装置の一構成例を示した側面図である。
【図５】照明装置の一構成例を示した側断面図である。
【図６】覆体が取り外されたリフレクタの側面を示した一部側断面図である。
【図７】覆体及び操作部収容体が取り外されたリフレクタの正面図である。
【図８】回路基板の一構成例を示した正面図である。
【図９】帯電粒子発生ユニットの回路図である。
【図１０】変形例１に係る照明装置の側断面図である。
【図１１】変形例２に係る照明装置の側断面図である。
【発明を実施するための形態】
【００２６】
以下、本発明をその実施の形態を示す図面に基づいて詳述する。
図１は、本実施の形態に係る送風機器の一構成例を示した正面側斜視図、図２は、本実施の形態に係る送風機器の一構成例を示した背面側斜視図である。本実施の形態に係る送風機器は、正帯電粒子及び負帯電粒子を含む空気を人の肌表面に送風することによって、スチーム又はミストを発生させることなく、肌表面における水分量を増加させ、肌弾力を向上させることができる美容器具である。本実施の形態に係る送風機器は円盤状のベース１を備える。ベース１は略中央部から斜め後方へ盛り上がった隆起部を有し、該隆起部から上方へ首部２が突出している。首部２は外力によって変形が可能な棒状である。首部２の先端部には、中心線が首部２と略一致するように略円柱状の操作部３が設けられている。操作部３の先端部には、送風方向が操作部３の中心線に対して略直交するように円筒状の送風ヘッド４が設けられている。送風ヘッド４の両端部には、空気を吸い込む吸込口４０ｂと、帯電粒子を含む空気を吹き出す吹出口４０ａとがそれぞれ形成されている。以下、説明の便宜上、方向を以下のように定める。図示しない台にベース１を乗せた状態で送風ヘッド４側を上方、ベース１側を下方、吸込口４０ｂ側を後方、吹出口４０ａ側を前方、吹出口４０ａに向かって左側及び右側を左右方向と定める。
【００２７】
図３は、送風機器の送風ヘッド４及び操作部３の内部構成を模式的に示した側断面図である。送風ヘッド４は中空略円筒状の筐体４１を備える。筐体４１の一端側には空気の吸込口４０ｂが設けられ、他端側には空気の吹出口４０ａが設けられている。筐体４１の中央部分は空気が通流する通流路４０を構成している。吸込口４０ｂには、円環状のフィルタ保持枠４０ｃが内側から前方へ突出しており、空気中の塵埃を補足する網目フィルタ６がフィルタ保持枠４０ｃによって保持されている。筐体４１の内部には、帯電粒子発生ユニット４３、ファン４２及び回路基板４４を保持する保持体５が配されている。帯電粒子発生ユニット４３は後述する回路部品を収容した略直方体のユニットケースを有する。ユニットケースは樹脂性であり、正帯電粒子及び負帯電粒子を放出するための放出孔が上面に２つ形成されている。２つの放出孔にはそれぞれ正帯電粒子及び負帯電粒子を発生させる正極針４３ｇ及び負極針４３ｆ（図９参照）が設けられている。ユニットケースは、筐体４１内部の下部に配され、正極針４３ｇ及び負極針４３ｆが通流路４０側を向くような姿勢で保持体５に保持されている。また、保持体５に保持された帯電粒子発生ユニット４３の前面には、回路基板４４と電気接続するための接続端４３ａ（図９参照）が設けられている。ファン４２は、例えばプロペラファンであり、プロペラは略直方体の支持枠によって支持され、該プロペラの回転軸が筐体４１の中止線と略一致するように筐体４１内部の前側に、保持体５によって保持されている。回路基板４４は、筐体４１の下部から操作部３の内部に亘る長方形状をなし、帯電粒子発生ユニット４３に電気接続するための接点を上部の背面側の面に有する。保持体５は回路基板４４の接点に、帯電粒子発生ユニット４３の接続端４３ａを当接させた状態で回路基板４４を保持している。
操作部３は、中空略円筒状の操作部収容体（収容体）３１を有する。操作部収容体３１の内部には保持体５によって保持された回路基板４４が配され、操作部収容体３１の前面側に照明装置７、及び送風機器を操作するためのスライドスイッチ８が配されている。
なお、図３中、白丸は吹出口４０ａから吹き出された正帯電粒子、黒丸は吹出口４０ａから吹き出された負帯電粒子を模式的に示したものである。
【００２８】
図４は、照明装置７の一構成例を示した側面図、図５は、照明装置７の一構成例を示した側断面図、図６は、覆体７１が取り外されたリフレクタ７２の側面を示した一部側断面図、図７は、覆体７１及び操作部収容体３１が取り外されたリフレクタ７２の正面図、図８は、回路基板４４の一構成例を示した正面図である。照明装置７は、回路基板４４に設けられた一又は複数の発光ダイオード７３を備える。例えば、図７に示すように４つの発光ダイオード７３が縦横２つずつ回路基板４４に直接的に半田付けされている。
【００２９】
発光ダイオード７３は、該発光ダイオード７３からの光を前方へ反射する筒状のリフレクタ７２によって囲繞されている。リフレクタ７２の後端部は、発光ダイオード７３を囲繞するように、回路基板４４に当接している。操作部収容体３１には、発光ダイオード７３からの光が出射される正面視円形の光出射孔部（孔部）３１ａが形成されており、リフレクタ７２の前端部は、光出射孔部３１ａから前方へ突出している。リフレクタ７２の前端部は正面視が円形であり、該リフレクタ７２の直径は、光出射孔部３１ａの直径よりも小さく、リフレクタ７２の前端部と、光出射孔部３１ａとの間に間隙が設けられている。このため、リフレクタ７２の前端部の外周面が光出射孔部３１ａから露出している。リフレクタ７２は、例えば樹脂製であり、少なくとも光出射孔部３１ａから露出する外周面の前端部及び内周面には金属メッキが施されており、金属光沢を有する反射層が形成されている。なお、リフレクタ７２を金属で構成してもよい。更に、リフレクタ７２は、外周面の一部に光出射孔部３１ａよりも大寸法の鍔部７２ａを有する。リフレクタ７２の前端部と、光出射孔部３１ａとの間には間隙があるため、操作部収容体３１の内部が視認され得るが、リフレクタ７２に鍔部７２ａを設けることによって、回路基板４４などの内部構造が外部から見えないようにすることができる。なお、リフレクタ７２に鍔部７２ａを設ける例を説明したが、リフレクタ７２の後端側が光出射孔部３１ａよりも大寸法になるように構成し、操作部収容体３１の内部が視認されないように構成しても良い。
【００３０】
回路基板４４は、リフレクタ７２に囲繞されている部分（図７、図８中ハッチングが付された部分）の反射率が、他の部分に比べて高くなるよう、反射塗装面７４を有している。反射塗装面７４は、例えば白色の塗装面である。
【００３１】
また、照明装置７は、発光ダイオード７３及びリフレクタ７２を覆う透光性の覆体７１を備える。覆体７１は、正面視が円形であり、後端部は光出射孔部３１ａよりも大径に形成された係止部を有し、後側から光出射孔部３１ａに挿入された覆体７１の係止部が光出射部の縁に係止される。覆体７１は透光性を有するため、リフレクタ７２の内周面及び前端部の外周面が外部から視認される。
【００３２】
図９は、帯電粒子発生ユニット４３の回路図である。帯電粒子発生ユニット４３が有する接続端４３ａは、接続端４３ａに入力される直流電圧を交流電圧に変換する直流交流変換回路４３ｂに接続されている。直流交流変換回路４３ｂの出力端には高圧トランス４３ｃの一次コイルが接続され、交流電圧が一次コイルに印加されるように構成されている。高圧トランス４３ｃの二次コイルの一端には整流ダイオード４３ｄが逆接続され、整流ダイオード４３ｄのアノードに負極針４３ｆが接続されている。高圧トランス４３ｃの二次コイルの他端には整流ダイオード４３ｅが純接続され、整流ダイオード４３ｅのカソードに正極針４３ｇが接続されている。また帯電粒子発生ユニット４３は、回路基板４４に接続することで接地される接地板４３ｈを有する。接地板４３ｈは適宜長離隔して形成された孔を有し、各孔の中心に正極針４３ｇ及び負極針４３ｆの先端が位置するように、接地板４３ｈ及び正極針４３ｇ及び負極針４３ｆが位置決め固定されている。
【００３３】
このように構成された送風機器にあっては、光出射孔部３１ａからリフレクタ７２を突出させ、また、リフレクタ７２の前端部と、光出射孔部３１ａとの間に間隙を設けることにより、リフレクタ７２の外周面を露出させ、該リフレクタ７２を装飾リングとして機能させることが可能である。つまり、操作部収容体３１の光出射孔部３１ａから露出しているリフレクタ７２の外周面によって、光源部分と、操作部収容体３１との境界を際立たせ、ユーザの体感照度を向上させることが可能である。また、照明装置７の部品点数及び組み立て工数を削減し、低コスト化を図ることができる。
【００３４】
また、リフレクタ７２は光出射孔部３１ａよりも大寸法の鍔部７２ａを有しているため、リフレクタ７２の前端部と、光出射孔部３１ａとの間に間隙があっても、外部からはリフレクタ７２の外周面及び鍔部７２ａが視認され、操作部収容体３１内部の回路基板４４は視認されない。
【００３５】
更に、リフレクタ７２が回路基板４４に設けられた発光ダイオード（光源）７３を囲繞しており、回路基板４４は、リフレクタ７２に囲繞されている部分に反射塗装面７４を有するため、照明装置７の構造を簡素化することができる。即ち、発光ダイオード７３の背面側にリフレクタ７２のような反射部材を設ける必要が無く、また凹面状のリフレクタ７２の頂点部分にソケットを設け、該ソケットと、回路基板４４とをコネクタで接続する必要も無い。
【００３６】
更にまた、発光ダイオード７３及びリフレクタ７２を透光性の覆体７１で覆うことにより、発光ダイオード７３及びリフレクタ７２を保護することができる。
【００３７】
更にまた、リフレクタ７２は、少なくともリフレクタ７２の内周面と、外周面の前端部分とが金属光沢の反射層を有し、操作部収容体３１から露出しているため、該外周面を効果的に装飾リングとして機能させることができる。
【００３８】
なお、上述の実施の形態では、操作部収容体からリフレクタを、光出射孔部に間隙を設けて突出させる構成を例示したが、リフレクタの照射方向前端の外周面部分が露出し、装飾リングとして機能すれば良く、リフレクタの露出態様は問わない。以下、変形例を説明する。
【００３９】
（変形例１）
図１０は、変形例１に係る照明装置の側断面図である。変形例１に係る照明装置１０７は、回転放物面又は回転楕円面状のリフレクタ１７２と、リフレクタ１７２の焦点部分に固定された光源１７３と、リフレクタ１７２及び光源１７３を収容する収容体１３１とを備える。リフレクタ１７２の照射方向端部は、収容体１３１の孔部から突出しており、リフレクタ１７２は透光性の覆体１７１によって覆われている。
【００４０】
収容体１３１からリフレクタ１７２の照射方向端部が露出しているため、リフレクタ１７２を装飾リングとして機能させることができる。このため、装飾リングを設けること無く、光源部分と収容体１３１との境界を際立たせて体感照度を向上させることができ、照明装置１０７の部品点数及び組み立て工数を削減し、低コスト化を図ることができる。
【００４１】
（変形例２）
図１１は、変形例２に係る照明装置の側断面図である。変形例２に係る照明装置２０７は、回転放物面又は回転楕円面状のリフレクタ２７２と、リフレクタ２７２の焦点部分に固定された光源２７３と、リフレクタ２７２及び光源２７３を収容する収容体２３１とを備える。
リフレクタ２７２の照射方向端部は、径方向外側から後方にかけて広がるように形成された鈎状部分を有し、該鈎状部分が収容体２３１の孔部から突出している。リフレクタ２７２の照射方向前端部には、円盤状をなす透光性の覆体２７１が内嵌固定されている。
【００４２】
収容体２３１からリフレクタ２７２の鈎状部分が露出しているため、リフレクタ２７２を装飾リングとして機能させることができる。このため、装飾リングを設けること無く、光源部分と収容体２３１との境界を際立たせて体感照度を向上させることができ、照明装置２０７の部品点数及び組み立て工数を削減し、低コスト化を図ることができる。
【００４３】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００４４】
１  ベース
２  首部
３  操作部
４  送風ヘッド
５  保持体
６  網目フィルタ
７  照明装置
８  スライドスイッチ
３１  操作部収容体
３１ａ  光出射孔部
４０  通流路
４０ａ  吹出口
４０ｂ  吸込口
４１  筐体
４２  ファン
４３  帯電粒子発生部
４４  回路基板
７１  覆体
７２  リフレクタ
７２ａ  鍔部
７３  発光ダイオード
７４  反射塗装面
【図１】
2014053257.tif 000003
【図２】
2014053257.tif 000004
【図３】
2014053257.tif 000005
【図４】
2014053257.tif 000006
【図５】
2014053257.tif 000007
【図６】
2014053257.tif 000008
【図７】
2014053257.tif 000009
【図８】
2014053257.tif 000010
【図９】
2014053257.tif 000011
【図１０】
2014053257.tif 000012
【図１１】
2014053257.tif 000013